(57)【要約】【課題】装置を複雑かつ大型化させることなく、除去物が存在しない領域を粘着テープによる糊移り等によって汚すことなく除去物を除去する。【解決手段】一方の面に粘着面を具備する粘着テープ２０を繰り出し可能に保持する保持部３０と、保持部３０に保持された粘着テープを、回転することによって繰り出して回収するテープ巻き取り部４０と、保持部３０とテープ巻き取り部４０との間にて粘着面が外側となるように粘着テープ２０が掛け回されるヘッドローラー６０と、テープ巻き取り部４０を回転させるための操作がされる操作部７０と、操作部７０にされた操作に伴って、テープ巻き取り部４０を一方向に所定の角度だけ回転させる回転制御軸８０及び歯車板５０とを有する。【選択図】図１
2014169380.tif 000002
【特許請求の範囲】
【請求項１】
少なくとも一方の面に粘着面を具備する連続状の粘着テープを繰り出し可能に保持する保持部と、
前記保持部に保持された粘着テープを、回転することによって繰り出して回収する回収部と、
前記保持部と前記回収部との間にて前記粘着面が外側となるように前記粘着テープが掛け回されるヘッド部と、
前記回収部を回転させるための操作がされる操作部と、
前記操作部にされた前記操作に伴って前記回収部を一方向に所定の角度だけ回転させる駆動部とを有する除去物除去装置。
【請求項２】
請求項１に記載の除去物除去装置において、
前記駆動部は、
自身は回転不能な回転軸を中心として前記回収部とともに回転可能となって該回収部を支持する回転板と、
前記操作部にされた前記操作に伴って、前記回転板を前記所定の角度だけ回転させる回転制御軸とを有し、
前記回収部は、前記回転軸に対して、ワンウェイクラッチ機構によって前記一方向のみに回転可能に構成されている除去物除去装置。
【請求項３】
請求項１または請求項２に記載の除去物除去装置において、
前記回転制御軸は、ばねによって前記操作に応じて移動する方向とは反対方向に付勢されている除去物除去装置。
【発明の詳細な説明】
【技術分野】
【０００１】
本発明は、ごみや粘着物等の除去物を除去する除去物除去装置に関する。
【背景技術】
【０００２】
従来より、ごみや粘着物を除去するものとして、粘着材が塗布された面を転がしてごみを除去する、通称“コロコロ”と呼ばれる除去具が用いられている。また、リールに巻き付けられたテープを転写ヘッドによって被着体に当接させて粘着物を除去する除去具も考えられている（例えば、特許文献１参照）。これらの除去具は、回収するごみや粘着物が付着している面上を、ローラーやヘッドを当接させながら移動させることによって、ごみや粘着物を除去、回収する。
【０００３】
また、可動体に付着した粘着剤を、転写体に転写させて除去する装置も考えられている（例えば、特許文献２参照）。この装置においては、粘着物が付着したツールベルトに転写ベルトを当接させながらこれらツールベルトと転写ベルトを回転させることにより、ツールベルトに付着した粘着物を転写ベルトに転写させて回収する。
【先行技術文献】
【特許文献】
【０００４】
【特許文献１】特開２００９−０１３１９９号公報
【特許文献２】特許第４１５６９４４号公報
【発明の概要】
【発明が解決しようとする課題】
【０００５】
近年、情報を表示する表示装置として、デジタル情報を紙のように薄い表示媒体に表示する電子ペーパーが普及しはじめている。電子ペーパーは、絶縁性基板上に、表示する情報に応じたパターンで複数の表示電極を形成するとともに、印加された電位によってその色が変化する情報表示手段を表示電極に対向するように配置し、表示電極を介して情報表示手段に電位を印加することによって情報を表示するものである。
【０００６】
このような電子ペーパーの加工工程においては、電子ペーパーの一部に粘着性のカスが発生するため、このカスを除去する工程がある。そこで、上述した従来の技術と同様にしてカスを除去することが考えられる。
【０００７】
ところが、回収するごみや粘着物等の除去物が付着している面上を、ローラーやヘッドを当接させながら移動させることによって、除去物を除去、回収するものにおいては、作業を行う際に、除去物が存在しない領域にもローラーやヘッドによって粘着テープを接触させなければならないため、ローラーやヘッドを転がす分だけ余計な作業スペースが必要となってしまうとともに、除去物が存在しない領域に粘着テープによる糊移りが発生してしまう虞れがあり、また、粘着テープの送り出し量を制御することが困難であり、電子ペーパーの加工には適していない。
【０００８】
また、可動体に付着した粘着剤を転写体に転写させて除去するものにおいては、電子ペーパーの一部に発生した除去物を転写体に転写させるためには、電子ペーパー自体をベルトコンベア等の機構を用いて送り出す必要があり、それにより、装置の機構が複雑かつ大型化してしまうという問題点がある。
【０００９】
本発明は、上述したような従来の技術が有する問題点に鑑みてなされたものであって、装置を複雑かつ大型化させることなく、除去物が存在しない領域を粘着テープによる糊移り等によって汚すことなく除去物を除去することができる除去物除去装置を提供することを目的とする。
【課題を解決するための手段】
【００１０】
上記目的を達成するために本発明は、
少なくとも一方の面に粘着面を具備する連続状の粘着テープを繰り出し可能に保持する保持部と、
前記保持部に保持された粘着テープを、回転することによって繰り出して回収する回収部と、
前記保持部と前記回収部との間にて前記粘着面が外側となるように前記粘着テープが掛け回されるヘッド部と、
前記回収部を回転させるための操作がされる操作部と、
前記操作部にされた前記操作に伴って前記回収部を一方向に所定の角度だけ回転させる駆動部とを有する。
【００１１】
上記のように構成された本発明においては、少なくとも一方の面に粘着面を具備する連続状の粘着テープを繰り出し可能に保持する保持部と、保持部に保持された粘着テープを、回転することによって繰り出して回収する回収部との間にて、ヘッド部に粘着テープがその粘着面が外側となるように掛け回されているため、このヘッド部が、除去物に押し付けられることにより、除去物が粘着テープに付着して除去される。その後、回収する回収部を回転させるための操作が操作部にされると、駆動部によって回収部が一方向に所定の角度だけ回転させられる。すると、粘着テープが、回収部の回転の角度に応じた量だけ回収部に回収されるとともに保持部から繰り出され、それにより、ヘッド部には、粘着テープの除去物が付着していない領域が当接する。そして、ヘッド部が、別の除去物に再度押し付けられることにより、除去物が粘着テープに付着して除去される。
【００１２】
このように、除去物にヘッド部が押し付けられることによって除去物が粘着テープに付着して除去された後、粘着テープを回収する回収部を回転させるための操作が操作部にされると、ヘッド部に粘着テープの除去物が付着していない領域が当接することになるので、除去物が存在する作業台等の物品を移動させる必要がなく、また、除去物が存在しない領域に粘着テープを当接させることなく、除去物を除去することができる。
【００１３】
このような構成を実現するためには、例えば、駆動部が、自身は回転不能な回転軸を中心として回収部とともに回転可能となって回収部を支持する回転板と、操作部にされた前記操作に伴って、回転板を前記所定の角度だけ回転させる回転制御軸とを有し、回収部が、回転軸に対してワンウェイクラッチ機構によって前記一方向のみに回転可能に構成されているものとすることが考えられる。
【００１４】
また、回転制御軸が、ばねによって前記操作に応じて移動する方向とは反対方向に付勢されている構成としてもよい。
【発明の効果】
【００１５】
本発明によれば、除去物にヘッド部が押し付けられることによって除去物が粘着テープに付着して除去された後、粘着テープを回収する回収部を回転させるための操作が操作部にされると、回転制御部によって回収部が一方向に所定の角度だけ回転し、粘着テープが、回収部の回転の角度に応じた量だけ回収部に回収されるとともに保持部から繰り出され、それにより、ヘッド部には、粘着テープの除去物が付着していない領域が当接することになるので、その後、別の除去物にヘッド部を再度押し付けることにより、除去物を粘着テープに付着させて除去することができる。それにより、装置を複雑かつ大型化させることなく、除去物が存在しない領域を粘着テープによる糊移り等によって汚すことなく除去物を除去することができる。
【図面の簡単な説明】
【００１６】
【図１】本発明の除去物除去装置の実施の一形態を示す図であり、（ａ）は内部の構成を示す図、（ｂ）は粘着テープ及びテープ巻き取り部を取り除いた構成を示す図である。
【図２】図１に示したテープ巻き取り部及び歯車板の取り付け状態を示す図である。
【図３】図１に示した除去物除去装置の動作を説明するための図である。
【図４】図１に示した回転制御軸の移動と歯車板の回転との関係を示す図である。
【図５】図１に示したテープ巻き取り部の回転方向について説明するための図である。
【発明を実施するための形態】
【００１７】
以下に、本発明の実施の形態について図面を参照して説明する。
【００１８】
図１は、本発明の除去物除去装置の実施の一形態を示す図であり、（ａ）は内部の構成を示す図、（ｂ）は粘着テープ２０及びテープ巻き取り部４０を取り除いた構成を示す図である。また、図２は、図１に示したテープ巻き取り部４０及び歯車板５０の取り付け状態を示す図である。
【００１９】
本形態は図１に示すように、筐体１０の内部に、保持部３０と、回収部となるテープ巻き取り部４０と、回転板となる歯車板５０と、ヘッド部となるヘッドローラー６０とがそれぞれ回転可能に設けられて構成されており、その他に、操作部７０と、回転制御軸８０とを有している。なお、歯車板５０と回転制御軸８０とから駆動部が構成される。
【００２０】
保持部３０には、一方の面に粘着面を有する連続状の粘着テープ２０がロール状に巻き取られて保持されている。保持部３０には、その円周上に突起３１が設けられており、この突起３１によって、ロール状に巻き取られた粘着テープ２０が固定されている。保持部３０は、ベアリング等の回転機構を有し、テープ巻き取り部４０及び歯車板５０が回転することによって粘着テープ２０に発生するテンションにより滑らかに回転駆動する。なお、粘着テープ２０は、一方の面に粘着面を有する一般的なものを用いることが考えられるが、両面に粘着面を有するものであってもよい。また、除去物に対して十分な接着力を有し、かつ、ヘッドローラー６０を介して接触する作業台等に対して、除去物以外の領域には接着力を有さない程度の接着力を持つものが好ましい。
【００２１】
テープ巻き取り部４０は、歯車板５０上に重ね合わされており、その中心部に孔部４１が形成されているとともに、中心部から離れた領域に孔部４２が形成されている。また、歯車板５０は、その中心部に孔部５２が形成されているとともに、テープ巻き取り部４０との重ね合わせ面の中心部から離れた領域に突起５１が設けられている。そして、歯車板５０がテープ巻き取り部４０を支持するようにテープ巻き取り部４０が歯車板５０上に重ね合わされ、図２に示すように、テープ巻き取り部４０の孔部４２に歯車板５０の突起５１が嵌合した状態で、テープ巻き取り部４０及び歯車板５０の孔部４１，５２に、筐体１０に設けられた自身は回転不能な回転軸１２が嵌合することにより、テープ巻き取り部４０と歯車板５０とが、回転軸１２を中心として一体となって回転可能となっている。
【００２２】
また、テープ巻き取り部４０には、保持部３０に保持された粘着テープ２０の一端が固定されており、テープ巻き取り部４０が歯車板５０とともに回転軸１２を中心として回転することによって、保持部３０に保持された粘着テープ２０にテンションを発生させ、粘着テープ２０を保持部３０から繰り出して回収する。
【００２３】
歯車板５０には、その円周上に複数の歯部５３が設けられており、また、回転制御軸８０には爪部８１が設けられており、これら歯部５３と爪部８１とが噛み合うことで、回転制御軸８０の移動に伴って歯車板５０が回転するように構成されている。
【００２４】
回転制御軸８０の一端には、回転制御軸８０を軸方向に移動させるための操作部７０が設けられている。また、回転制御軸８０には、操作部７０の近傍にばね固定板７２ａが取り付けられており、このばね固定板７２ａと筐体１０に取り付けられたばね固定板７２ｂとの間にばね７１が設けられている。回転制御軸８０は、このばね７１の復元力によって操作部７０が取り付けられた方向に付勢されている。なお、ばね固定板７２ｂは、筐体１０に取り付けられた中空の板であり、ばね７１を固定するとともに回転制御軸８０の移動を邪魔しない構造となっている。
【００２５】
ヘッドローラー６０は、筐体１０に設けられた開口部１１からその一部が外部に表出して配置され、ベアリング等の回転機構によって回転可能に構成されている。そして、保持部３０とテープ巻き取りローラー４０との間にて、粘着テープ２０粘着面が外側となるように粘着テープ２０が掛け回されることにより、テープ巻き取り部４０からのテンションの方向を変えるとともに、除去物に粘着テープ２０を追従させて密着させる役割を果たす。この際、除去物と粘着テープ２０との密着が不十分であると、除去物の十分な除去性能が発揮できないため、ヘッドローラー６０は、追従性を向上させるためにウレタンゴム等の柔らかく加圧による変形が可能な素材であることが望ましい。また、ヘッドローラー６０とテープ巻き取り部４０との間には、ローラー９０が設けられている。
【００２６】
以下に、上記のように構成された除去物除去装置１の動作について説明する。
【００２７】
図３は、図１に示した除去物除去装置１の動作を説明するための図である。なお、図３においては、説明をわかりやすくするためにテープ巻き取り部４０を透視した状態で示している。また、図４は、図１に示した回転制御軸８０の移動と歯車板５０の回転との関係を示す図である。また、図５は、図１に示したテープ巻き取り部４０の回転方向について説明するための図である。
【００２８】
上記のように構成された除去物除去装置１を用いて、例えば、電子ペーパーの加工工程において電子ペーパー３の一部に発生した除去物２を除去する場合は、まず、図３（ａ）に示すようにヘッドローラー６０を除去物２に押し付けた後、除去物除去装置１を持ち上げて電子ペーパー３から離間させる。すると、ヘッドローラー６０には、保持部３０に保持された粘着テープ２０が、その粘着面が外側となるように掛け回されているため、除去物２が粘着テープ２０に付着し、電子ペーパー３から剥ぎ取られる。
【００２９】
次に、テープ巻き取り部４０を回転させるための操作として操作部７０を押下する。すると、図３（ｂ）に示すように、ばね７１が縮むとともに回転制御軸８０が図中下方に移動する。そして、回転制御軸８０の爪部８１が歯車板５０の歯部５３と噛み合っていることにより、図３（ｂ）及び図４（ａ）に示すように、歯車板５０が回転軸１２を中心として図中時計回りに回転する。この際、ばね７１を固定している２枚のばね固定板７２ａ，７２ｂのうち、一方のばね固定板７２ａが回転制御軸８０の操作部７０の近傍に取り付けられており、他方のばね固定板７２ｂが筐体１０に取り付けられていることにより、操作部７０が押下された場合、２枚のばね固定板７２ａ，７２ｂの間隔が狭くなり、ばね７１が縮むことになる。
【００３０】
すると、テープ巻き取り部４０の孔部４２に歯車板５０の突起５１が嵌合していることにより、テープ巻き取り部４０も歯車板５０とともに回転軸１２を中心として図中時計回りに回転する。この際、操作部７０が筐体１０に当接することにより、あるいは、ばね７１が最も縮んだ状態の長さにより、回転制御軸８０は、所定のストローク量だけ図中下方に移動することになる。それにより、テープ巻き取り部４０は、回転制御軸８０が移動したストローク量に応じた角度だけ回転することなる。例えば、回転制御軸８０が２つの爪部８１の長さのストローク量だけ図中下方に移動すると、テープ巻き取り部４０は、歯車板５０の円周上における２つの歯部５３の長さの円周長に応じた角度だけ回転する。
【００３１】
テープ巻き取り部４０が回転すると、粘着テープ２０に、テープ巻き取り部４０側に引っ張られるテンションが発生し、それにより、保持部３０が図中反時計回りに回転し、保持部３０に保持されている粘着テープ２０が、テープ巻き取り部４０及び保持部３０の回転角度に応じた量だけ保持部３０から繰り出される。そのため、操作部７０が押下された場合に回転制御軸８０が移動するストローク量を調整することにより、保持部３０から繰り出される粘着テープ２０の量を任意なものに設定することができる。
【００３２】
保持部３０から粘着テープ２０が繰り出されると、粘着テープ２０に付着した除去物２は、ヘッドローラー６０が押し付けられる領域から移動し、筐体１０内に回収される。
【００３３】
その後、操作部７０を離して押下する操作を停止すると、回転制御軸８０は、ばね７１の復元力によって操作部７０が取り付けられた方向に付勢されているため、操作部７０が押下されていない状態の初期位置に戻る。
【００３４】
この際、図５に示すように、テープ巻き取り部４０は、回転軸１２が嵌合している孔部４１の内壁面に、ローラー４３の一部が表出するとともにこのローラー４３がばね４４によって固定されてなるワンウェイクラッチ機構が設けられているため、回転制御軸８０が、操作部７０が押下されていない状態の初期位置に戻ることで、図中反時計回り（Ｂ方向）に回転しようとする力が歯車板５０を介して加わっても、その方向には回転しない。また、歯車板５０においても、テープ巻き取り部４０の孔部４２に歯車板５０の突起５１が嵌合しているため、図中反時計回り（Ｂ方向）に回転しようとする力が加わっても、その方向には回転しない。なお、上記ワンウェイクラッチ機構においては、テープ巻き取り部４０の図中時計回り（Ａ方向）への回転は可能となっているため、操作部７０が押下された操作に伴うテープ巻き取り部４０の回転は規制されない。
【００３５】
さらに、図４（ｂ）に示すように、歯車板５０の歯部５３と回転制御軸８０の爪部８１の傾斜によって、回転制御軸８０の上方向への移動に伴う力が、巻き取り部４０で発生するワンウェイクラッチ機構による抵抗よりも小さくなり、歯車板５０は回転しない。
【００３６】
それにより、図３（ｃ）に示すように、保持部３０、歯車板５０及びテープ巻き取り部４０が、操作部７０が押下された際の状態となったまま、回転制御軸８０のみが、操作部７０が押下されていない状態の位置に戻ることとなり、粘着テープ２０が、保持部３０から繰り出される方向とは反対方向に搬送されてしまうことが防止される。
【００３７】
この状態では、粘着テープ２０に付着した除去物２は、ヘッドローラー６０が押し付けられる領域から移動しており、ヘッドローラー６０が押し付けられる領域には、粘着テープ２０の除去物２が付着していない領域が当接しているため、その後、電子ペーパー３の一部に発生している別の除去物にヘッドローラー６０を再度押し付けることにより、上記同様に、除去物を粘着テープ２０に付着させて除去することができる。
【００３８】
このように、除去物２にヘッドローラー６０が押し付けられることによって除去物２が粘着テープ２０に付着して除去された後、粘着テープ２０を回収するテープ巻き取り部４０を回転させるために操作部７０が押下されると、ヘッドローラー６０に粘着テープ２０の除去物２が付着していない領域が当接することになるので、除去物２が存在する電子ペーパー３を移動させる必要がなく、また、除去物２が存在しない領域に粘着テープ２０を当接させることなく、除去物２を除去することができる。
【符号の説明】
【００３９】
１    除去物除去装置
２    除去物
３    電子ペーパー
１０    筐体
１１    開口部
１２    回転軸
２０    粘着テープ
３０    保持部
３１，５１    突起
４０    テープ巻き取り部
４１，４２，５２    孔部
４３，９０    ローラー
４４，７１    ばね
５０    歯車板
５３    歯部
６０    ヘッドローラー
７０    操作部
７２ａ，７２ｂ    ばね固定板
８０    回転制御軸
８１    爪部
【図１】
2014169380.tif 000003
【図２】
2014169380.tif 000004
【図３】
2014169380.tif 000005
【図４】
2014169380.tif 000006
【図５】
2014169380.tif 000007